【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
長手方向の両端に電圧が印加されて発熱する炭素系材料を主成分とするシート状からなる帯状形状の発熱体と、その発熱体の端部を挟持せしめる保持具と、前記発熱体の両端に電力を供給する電力供給部材と、発熱体、保持具及び電力供給部材を内包する容器とにより構成されるとともに、前記発熱体は厚み方向において複数の層が互いに空隙を形成しながら積層され、かつその積層された各層に流れる電流を制御する電流阻害部が形成されていることを特徴とする発熱体ユニット。
【請求項２】
前記電流阻害部は、前記発熱体の厚み方向に応力を加えて形成されることにより前記発熱体長手方向に流れる電流を阻害する第一の電流阻害部が形成されることを特徴とする請求項１に記載の発熱体ユニット。
【請求項３】
第一の電流阻害部は前記発熱体の長手方向に沿って互いに対向する一対の側縁それぞれに互いに対向する側縁に向かって延設するように形成され、かつ前記発熱体の長手方向に沿って各側縁に所定の配置間隔を有して複数個配置されるとともに、一方の側縁に形成された第一の電流阻害部と他方の側縁に形成された複数の第一の電流阻害部とが、長手方向に沿って千鳥状に配置されていることを特徴とする請求項２に記載の発熱体ユニット。
【請求項４】
前記第一の電流阻害部は前記発熱体の長手方向に沿って互いに対向する一対の側縁それぞれに互いに対向する側縁に向かって延設するように形成され、かつ前記発熱体の長手方向に沿って各側縁に所定の配置間隔を有して複数個配置されるとともに、少なくとも互いに近接して対向する位置に配置された前記第一の電流阻害部は、前記各側縁から延設された前記第一の電流阻害部の延設先端部が前記長手方向に直交する帯幅方向に対し所定の幅を有するよう形成されて導通路が設けられることにより、前記導通路は前記長手方向に沿って形成された電流経路となることを特徴とする請求項２に記載の発熱体ユニット。
【請求項５】
前記発熱体の長手方向に沿って互いに対向する一対の側縁それぞれに互いに対向する側縁に向かって延設するように形成され、かつ前記発熱体の長手方向に沿って各側縁に所定の配置間隔を有して複数個配置された前記一方の第一の電流阻害部の間に、発熱体の前記帯幅の中央部に位置して前記一方の第一の電流阻害部と所定の配置間隔を有しながら並行になるように前記両側縁に向けて延設し、かつ、発熱体の一対の対向する両側縁にそれぞれ導通路を残して形成される他方の第一の電流阻害部を配置したことを特徴とする請求項４に記載の発熱体ユニット。
【請求項６】
前記保持具の近傍に位置する前記発熱体の部分に配置された前記一方の第一の電流阻害部の間に、発熱体の前記帯幅の中央部に位置した発熱体の一対の対向する両側縁側にそれぞれ導通路を残して形成される他方の第一の電流阻害部が設けられるとともに、その他方の第一の電流阻害部が前記保持具に近づくに従って短くなるように形成されることにより、少なくとも前記両側縁側の一方に位置する導通路の幅が前記保持具に近づくに従って広がるようになることを特徴とする請求項５に記載の発熱体ユニット。
【請求項７】
前記他方の第一の電流阻害部の中央側に、その他方の第一の電流阻害部と交差するよう前記長手方向に延設される第二の電流阻害部が設けられことを特徴とする請求項５又は６に記載の発熱体ユニット。
【請求項８】
前記電流阻害部は、少なくとも前記長手方向に直交する帯幅方向に延設される前記第一の電流阻害部と、前記第一の電流阻害部より前記長手方向に延設される第二の電流阻害部とが前記発熱体の厚み方向に応力を加えてそれぞれ形成されることにより、前記第一の電流阻害部により阻害された前記発熱体の長手方向に流れる電流の一部が発熱体の帯幅方向に流れる電流となることを第二の電流阻害部により阻害せしめたことを特徴とする請求項２に記載の発熱体ユニット。
【請求項９】
前記第一の電流阻害部が発熱体の帯幅方向の中央側に位置し、かつ前記長手方向に沿って所定の配置間隔を有して複数個配置するように形成されるとともに、前記各第一の電流阻害部の両延設先端部に前記第一の電流阻害部に連結された第二の電流阻害部がそれぞれ形成された電流阻害部の列を単数あるいは複数個並列して設けられたことを特徴とする請求項８記載の発熱体ユニット。
【請求項１０】
前記第一の電流阻害部が、互いに対向する一対の側縁の少なくとも一方の側縁から対向する他方の側縁に向かって延設し、かつ前記発熱体の長手方向に沿って所定の配置間隔を有して複数個配置されるよう形成され、前記各第一の電流阻害部の延設された延設先端部に前記第一の電流阻害部に連結された第二の電流阻害部がそれぞれ形成されたことを特徴とする請求項８に記載の発熱体ユニット。
【請求項１１】
前記第一の電流阻害部を前記発熱体の対向する両側縁それぞれに前記発熱体の長手方向に沿って所定の配置間隔を有して複数個配置し、かつ、前記各第一の電流阻害部の延設された延設先端部に前記第一の電流阻害部に実質的に連通された第二の電流阻害部がそれぞれ形成されるとともに、一方の側縁側に向けられた第二の電流阻害部と他方の側縁側に向けられた第二の電流阻害部とが長手方向に沿って千鳥状に配置されていることを特徴とする請求項３又は１０に記載の発熱体ユニット。
【請求項１２】
前記発熱体の長手方向に沿って同一側縁に設けられた前記各第一の電流阻害部の隣同士の離反距離を示す配置間隔Ｌ２と、前記第一の電流阻害部の延設先端部にそれぞれ設けられた前記各第二の電流阻害部の隣同士の離反距離を示す離反間隔Ｌ１との関係が、Ｌ１／Ｌ２＝０．２〜０．９である請求項１０又は１１に記載の発熱体ユニット。
【請求項１３】
前記保持具の近傍に位置する前記発熱体の部分に前記第一の電流阻害部を形成し、その前記第一の電流阻害部の延設先端部を前記保持部から離反する方向に延設し、かつ対向する第二の電流阻害部間に形成された通電領域の幅を少なくする方向に傾斜するように屈曲せしめるように延設することにより、通電領域の電流を制御することを特徴とする請求項１０乃至１２のいずれか一項に記載の発熱体ユニット。
【請求項１４】
前記保持具の近傍に位置する前記発熱体に、その発熱体の長手方向に沿って互いに対向する一対の側縁の少なくとも一方の側縁から対向する他方の側縁に向かって延設する前記第一の電流阻害部が前記長手方向に沿って所定の配置間隔を有して複数個配置されるとともに、前記側縁からその側縁を起点に延びる前記第一の電流阻害部の延設先端部までの長さが前記保持具に近づくに従って短くなるように形成されることにより、前記第一の電流阻害部の延設先端部側に位置する導通路の幅が前記保持具に近づくに従って広がるようになることを特徴とする請求項３、４、５、６、７、１０、１１、又は１２のいずれか一項に記載の発熱体ユニット。
【請求項１５】
前記発熱体は、板面方向に二次元的等方向性の熱伝導性を有する請求項１乃至１４のいずれか一項に記載の発熱体ユニット。
【請求項１６】
前記発熱体は、フィルムシート材により積層された厚み３００μｍ以下のシート状であることを特徴とする請求項１乃至１５のいずれか一項に記載の発熱体ユニット。
【請求項１７】
前記容器は、耐熱性を有するガラス管又はセラミックス管のいずれかであり、前記容器内に不活性ガスを封入したことを特徴とする請求項１乃至１６のいずれか一項に記載の発熱体ユニット。
【請求項１８】
前記請求項１乃至１７のいずれか一項に記載の発熱体ユニットを有することを特徴とする加熱装置。